(57)【特許請求の範囲】
【請求項１】
機器本体を具え、該機器本体の少なくとも一部分が、第１構成部材と第２構成部材とを互いに接合して構成され、前記第１構成部材と第２構成部材との接合面の内、第２構成部材側の接合面に、金属製のネジ部材が第１構成部材を貫通して捻じ込まれることにより、第１構成部材と第２構成部材とが互いに締結されており、前記第１構成部材及び／又は第２構成部材が、前記ネジ部材を構成している金属とは異種の金属から形成されている電子機器において、
前記第２構成部材側の接合面には、前記ネジ部材が捻じ込まれるネジ孔が有底凹状に形成され、前記第１構成部材には、前記ネジ部材が貫挿される貫通孔が開設されると共に、前記第２構成部材とは反対側から前記貫通孔を覆うパネル部材が接合されており、前記第１構成部材と第２構成部材との接合面間には、前記ネジ孔を包囲して延びる第１シール部材が介在し、前記第１構成部材とパネル部材との接合面間には、前記貫通孔を包囲して延びる第２シール部材が介在することで、前記ネジ部材を収容し、水の侵入が抑制された収容室を構成していることを特徴とする電子機器。
【発明の詳細な説明】
【技術分野】
【０００１】
本発明は、携帯電話機等、機器本体の少なくとも一部分が、２つの構成部材を金属製のネジ部材によって互いに締結して構成されている電子機器に関する。
【背景技術】
【０００２】
携帯電話機は、シャーシにキャビネットを固定することによって機器本体が構成されており、シャーシには、キャビネットを構成する１又は複数の構成部材が、金属製のネジ部材により締結されている（例えば、特許文献１参照）。
【０００３】
近年、携帯電話機を小型化するべく、マグネシウム合金を用いてシャーシを形成することが考えられている。マグネシウム合金製のシャーシによれば、該シャーシを複雑な形状に加工することが可能であると共に、その厚さ寸法を小さくすることが出来る。一方、ネジ部材を構成する金属には、従来から、ステンレス鋼（ＳＵＳ）が用いられている。ＳＵＳ製のネジ部材によれば、その強度が高くなる。
【先行技術文献】
【特許文献】
【０００４】
【特許文献１】特開２０１０−５６８１０号公報
【発明の概要】
【発明が解決しようとする課題】
【０００５】
しかしながら、上記携帯電話機において、ＳＵＳ製のネジ部材が、キャビネットを貫通してマグネシウム合金製のシャーシに捻じ込まれた構成においては、異種の金属から形成されたシャーシとネジ部材とが接触又は近接することになる。この構成を有する携帯電話機が雨水等に晒されて機器本体内に外部から水が浸入した場合、シャーシとネジ部材との間に水が浸入することにより、シャーシ又はネジ部材に電解腐食が発生する虞がある。
【０００６】
シャーシを樹脂製にすることにより、シャーシ及びネジ部材の電解腐食を防止することが出来る。しかし、この構成において機器本体の強度を高めるためには、シャーシの厚さ寸法を大きくする必要がある。
【０００７】
更に、シャーシとネジ部材とを何れもＳＵＳ製又はマグネシウム合金製にして、シャーシとネジ部材とを構成する金属を同種にすることにより、シャーシ及びネジ部材の電解腐食を防止することが出来る。しかし、シャーシをＳＵＳ製にした場合、シャーシを複雑な形状に加工することが困難になる。又、ネジ部材をマグネシウム合金製にした場合、ネジ部材の強度が低下する問題がある。
【０００８】
そこで本発明の目的は、金属製の構成部材及びネジ部材に電解腐食が発生し難い電子機器を提供することである。
【課題を解決するための手段】
【０００９】
本発明に係る電子機器は、機器本体を具え、該機器本体の少なくとも一部分が、第１構成部材と第２構成部材とを互いに接合して構成され、前記第１構成部材と第２構成部材との接合面の内、第２構成部材側の接合面に、金属製のネジ部材が第１構成部材を貫通して捻じ込まれることにより、第１構成部材と第２構成部材とが互いに締結されており、前記第１構成部材及び／又は第２構成部材が、前記ネジ部材を構成している金属とは異種の金属から形成されている。ここで、前記第２構成部材側の接合面には、前記ネジ部材が捻じ込まれるネジ孔が有底凹状に形成され、前記第１構成部材には、前記ネジ部材が貫挿される貫通孔が開設されると共に、前記第２構成部材とは反対側から前記貫通孔を覆うパネル部材が接合されており、前記第１構成部材と第２構成部材との接合面間には、前記ネジ孔を包囲して延びる第１シール部材が介在し、前記第１構成部材とパネル部材との接合面間には、前記貫通孔を包囲して延びる第２シール部材が介在している。
【００１０】
上記電子機器においては、機器本体の内部に、第２構成部材側の接合面に形成されているネジ孔と、第1構成部材に開設されている貫通孔とによって、ネジ部材が収容される収容室が形成されることになる。ここで、第１構成部材と第２構成部材との接合面間には、ネジ孔を包囲して延びる第１シール部材が介在し、第１構成部材とパネル部材との接合面間には、貫通孔を包囲して延びる第２シール部材が介在している。従って、第１構成部材と第２構成部材との接合面間を通じて収容室の内部へ水が浸入することが、第１シール部材によって防止され、又、第１構成部材とパネル部材との接合面間を通じて収容室の内部へ水が浸入することが、第２シール部材によって防止され、その結果、前記収容室は、第１シール部材と第２シール部材とによって密閉されることになる。即ち、上記電子機器は、収容室内への水の浸入を防止する防水構造を有することになる。
【００１１】
よって、上記電子機器によれば、該電子機器が雨水等に晒された場合でも、第１構成部材及び／又は第２構成部材とネジ部材との間には水が浸入することがない。このため、第１構成部材及び／又は第２構成部材が、ネジ部材を構成している金属とは異種の金属から形成されているにも拘わらず、第１構成部材、第２構成部材、及びネジ部材には電解腐食が発生し難い。
【００１２】
上記電子機器の具体的構成において、前記第２構成部材は、前記ネジ部材を構成している金属とは異種の金属から形成されたシャーシであり、該シャーシにキャビネットを固定することにより前記機器本体が構成されており、前記第１構成部材及びパネル部材は、前記キャビネットの少なくも一部分を構成するものである。
【００１３】
上記電子機器の他の具体的構成において、前記第１構成部材は、前記ネジ部材を構成している金属とは異種の金属から形成されたシャーシであり、該シャーシにキャビネットを固定することにより前記機器本体が構成されており、前記第２構成部材及びパネル部材は、前記キャビネットの少なくも一部分を構成するものである。
【発明の効果】
【００１４】
本発明に係る電子機器によれば、金属製の構成部材及びネジ部材に電解腐食が発生し難い。
【図面の簡単な説明】
【００１５】
【図１】図１は、本発明の一実施形態に係るスライド式携帯電話機を示す正面図である。
【図２】図２は、該スライド式携帯電話機の分解斜視図である。
【図３】図３は、上記スライド式携帯電話機の機器本体について、その閉じ状態の説明に用いられる正面図である。
【図４】図４は、該機器本体を構成する第２キャビネットの背面図である。
【図５】図５は、図４に示されるＡ−Ａ線に沿う断面図である。
【図６】図６は、上記第２キャビネットについて、図５に示されるＢ領域に対応する部分を分解して示した斜視図である。
【図７】図７は、図５に示されるＢ領域の拡大図である。
【図８】図８は、上記第２キャビネットについて、図５に示されるＣ領域に対応する部分を分解して示した斜視図である。
【図９】図９は、図５に示されるＣ領域の拡大図である。
【発明を実施するための形態】
【００１６】
以下、本発明をスライド式携帯電話機に実施した形態につき、図面に沿って具体的に説明する。
図１は、本発明の一実施形態に係るスライド式携帯電話機を示す正面図である。図１に示す様に、スライド式携帯電話機は、第１キャビネット(１)と第２キャビネット(２)とを互いにスライド可能に連結して構成された機器本体(10)を具えている。第１キャビネット(１)の表面(101)には、複数の操作キー(180)〜(180)によって構成された第１操作部(18)が設置されている。
【００１７】
第２キャビネット(２)の表面(201)には、液晶表示パネル(27)によって構成された表示部が設置される一方、第２キャビネット(２)の内部には、レバースイッチ(４)と複数の操作キー(280)〜(280)とから構成された第２操作部(28)が配備されている。そして、第２キャビネット(２)の表面(201)には、液晶表示パネル(27)の設置領域とは異なる領域に、第２操作部(28)の一部、即ちレバースイッチ(４)の操作子（後述する第１キートップ(43)）と各操作キー(280)の操作子（後述する第２キートップ(282)）とが露出している。
【００１８】
図２は、スライド式携帯電話機の分解斜視図である。図２に示す様に、第１キャビネット(１)と第２キャビネット(２)との間には、これらをスライド可能に連結するスライド機構(３)が設けられ、該スライド機構(３)は、スライド体(31)とスライド規定部(32)とから構成されている。スライド体(31)は、第１キャビネット(１)と第２キャビネット(２)との対向面の内、第２キャビネット(２)側の対向面（即ち、第２キャビネット(２)の背面(202)）に固定される。一方、スライド規定部(32)は、第１キャビネット(１)と第２キャビネット(２)との対向面の内、第１キャビネット(１)側の対向面（即ち、第１キャビネット(１)の表面(101)）、具体的には第１操作部(18)の設置領域とは異なる領域に固定される。
【００１９】
又、スライド規定部(32)には、その両端位置に左右一対のガイド溝(320)(320)が形成されており、該一対のガイド溝(320)(320)に、スライド体(31)の左右の縁部(310)(310)が摺動自在に係合している。斯くして、スライド規定部(32)は、スライド体(31)のスライド方向を第１キャビネット(１)の長手方向(91)に規定している。
【００２０】
よって、上記スライド式携帯電話機の機器本体(10)は、第１キャビネット(１)と第２キャビネット(２)をスライド方向に相対移動させることにより、図３に示す如く両キャビネット(１)(２)が閉じて第１操作部(18)の全体が第２キャビネット(２)によって被覆された閉じ状態と、図１に示す如く両キャビネット(１)(２)が開いて第１操作部(18)の全体が露出した開き状態との間で状態を変更させることが可能である。
【００２１】
上記スライド式携帯電話機のユーザは、図１に示す如く機器本体(10)が開き状態に設定されている場合、第１操作部(18)と第２操作部(28)とを用いてスライド式携帯電話機を操作することが可能である。又、図３に示す如く機器本体(10)が閉じ状態に設定されている場合であっても、ユーザは、第２操作部(28)を用いてスライド式携帯電話機を操作することが可能である。
【００２２】
図４は、第２キャビネット(２)の背面図である。図５は、図４に示されるＡ−Ａ線に沿う断面図である。そして、図６は、第２キャビネット(２)について、図５に示されるＢ領域に対応する部分を分解して示した斜視図である。図４及び図６に示す様に、第２キャビネット(２)は、その上部を構成する構成部材として、マグネシウム合金製のシャーシ(21)と、該シャーシ(21)の背面に接合されて第２キャビネット(２)の背面(202)の一部を形成する意匠パネル(23)とを有している。
【００２３】
図７は、図５に示されるＢ領域の拡大図である。図７に示す様に（図６も参照）、シャーシ(21)と意匠パネル(23)との接合面(213)(231)の内、シャーシ(21)側の接合面(213)に、ステンレス鋼（ＳＵＳ）製の第１ネジ部材(71)が意匠パネル(23)を貫通して捻じ込まれることにより、意匠パネル(23)がシャーシ(21)に締結されている。尚、本実施形態においては、図６に示す様に、シャーシ(21)の接合面(213)の２箇所に第１ネジ部材(71)を捻じ込むことにより、意匠パネル(23)がシャーシ(21)に締結される。
【００２４】
具体的には、シャーシ(21)の接合面(213)には、第１ネジ部材(71)が捻じ込まれるネジ孔(214)が有底凹状に形成され、意匠パネル(23)には、第１ネジ部材(71)が貫挿される貫通孔(230)が開設されている。そして、シャーシ(21)と意匠パネル(23)との接合面(213)(231)間には、シャーシ(21)のネジ孔(214)を包囲して延びるリング状の防水テープ(81)が介在している。ここで、防水テープ(81)は、防水性を有する両面テープであり、シャーシ(21)と意匠パネル(23)との接合面(213)(231)間をシールするシール部材として用いられている。
【００２５】
図７に示す様に（図６も参照）、意匠パネル(23)の背面には、該意匠パネル(23)の貫通孔(230)を覆うカバーパネル(24)が接合されている。そして、意匠パネル(23)とカバーパネル(24)との接合面(232)(241)間には、シート状の防水テープ(82)が介在し、該防水テープ(82)は、意匠パネル(23)の貫通孔(230)を包囲すると共に該貫通孔(230)を覆っている。ここで、防水テープ(82)は、防水性を有する両面テープであり、意匠パネル(23)とカバーパネル(24)との接合面(232)(241)間をシールするシール部材として用いられている。
【００２６】
上記スライド式携帯電話機においては、図７に示す様に、第２キャビネット(２)の内部に、シャーシ(21)の接合面(213)に形成されている有底筒状のネジ孔(214)と、意匠パネル(23)に開設されている貫通孔(230)とによって、第１ネジ部材(71)が収容される第１収容室Ｒ１が形成されることになる。ここで、シャーシ(21)と意匠パネル(23)との接合面(213)(231)間にはリング状の防水テープ(81)が介在し、意匠パネル(23)とカバーパネル(24)との接合面(232)(241)間にはシート状の防水テープ(82)が介在している。従って、シャーシ(21)と意匠パネル(23)との接合面(213)(231)間を通じて第１収容室Ｒ１の内部へ水が浸入することが、リング状の防水テープ(81)によって防止され、又、意匠パネル(23)とカバーパネル(24)との接合面(232)(241)間を通じて第１収容室Ｒ１の内部へ水が浸入することが、シート状の防止テープ(82)によって防止され、その結果、第１収容室Ｒ１は、２つの防水テープ(81)(82)によって密閉されることになる。即ち、上記スライド式携帯電話機は、第１収容室Ｒ１内への水の浸入を防止する防水構造を有することになる。
【００２７】
よって、上記スライド式携帯電話機によれば、該スライド式携帯電話機が雨水等に晒された場合でも、シャーシ(21)と第１ネジ部材(71)との間には水が浸入することがない。このため、シャーシ(21)が、第１ネジ部材(71)を構成している金属（本実施形態ではＳＵＳ）とは異種の金属（本実施形態ではマグネシウム合金）から形成されているにも拘わらず、シャーシ(21)及び第１ネジ部材(71)には電解腐食が発生し難い。
【００２８】
図８は、第２キャビネット(２)について、図５に示されるＣ領域に対応する部分を分解して示した斜視図である。図８に示す様に、レバースイッチ(４)は、直方体状のスイッチ本体(41)と、該スイッチ本体(41)に突設されたレバー部(42)とを具えている。本実施形態のレバースイッチ(４)は、スイッチ本体(41)に対して上下左右の４方向と斜め４方向の計８方向へレバー部(42)をスライドさせるレバー操作と、スイッチ本体(41)へ向けてレバー部(42)を押し込むレバー操作とが可能である。又、図示していないが、レバースイッチ(４)は、第２キャビネット(２)の内部に配備された第１基板に搭載されている。
【００２９】
第２キャビネット(２)は、その下部を構成する構成部材として、マグネシウム合金製のシャーシ(21)と、該シャーシ(21)に接合されて第２キャビネット(２)の表面(201)の一部を形成するカバー部材(22)とを有している。シャーシ(21)には、カバー部材(22)によって覆われる領域に、レバースイッチ(４)のスイッチ本体(41)を収容する四角形の開口(210)が形成されている。
【００３０】
第１基板はシャーシ(21)の背面側に配置され、第１基板に搭載されているレバースイッチ(４)のスイッチ本体(41)は、図８に示す様に、シャーシ(21)の開口(210)に、シャーシ(21)の背面側から挿入されている。そして、スイッチ本体(41)は、シャーシ(21)の開口(210)により拘持されている。
【００３１】
図８に示す様に、シャーシ(21)には、カバー部材(22)によって覆われる領域に、シャーシ(21)の開口(210)を包囲して拡がったシート状の第２基板(62)が設置されており、該第２基板(62)の表面には、各操作キー(280)を構成するドームスイッチ(281)が搭載されている。
【００３２】
シャーシ(21)には更に、カバー部材(22)によって覆われる領域に、第２基板(62)の設置領域を包囲して拡がると共にカバー部材(22)が接合されるべき接合面(211)が形成されている。該接合面(211)には、第２基板(62)の設置領域を包囲して延びた環状溝(212)が凹設されている。
【００３３】
図９は、図５に示されるＣ領域の拡大図である。図９に示すように（図８も参照）、カバー部材(22)の背面側には、シャーシ(21)の開口(210)及び第２基板(62)を覆う防水ラバー(５)が配備されている。該防水ラバー(５)は、シャーシ(21)の接合面(211)と重なる位置まで拡がった形状を有しており、防水ラバー(５)の外縁部(51)には、シャーシ(21)の環状溝(212)に嵌合すべきシール部(511)が、環状溝(212)の方へ向けて突設されている。
【００３４】
従って、図９に示す様に第２キャビネット(２)の組み立て状態においては、防水ラバー(５)のシール部(511)がシャーシ(21)の環状溝(212)に嵌合すると共に、カバー部材(22)がシャーシ(21)に接合され、これにより、カバー部材(22)の接合面(220)によってシール部(511)が環状溝(212)内へ押圧されることになる。これにより、防水ラバー(５)のシール部(511)は、環状溝(212)内に隙間なく嵌合されることになる。又、このとき、防水ラバー(５)の外縁部(51)は、シャーシ(21)とカバー部材(22)との接合面(211)(220)間に介在することになる。
【００３５】
図８に示す様に、防水ラバー(５)には更に、レバースイッチ(４)のレバー部(42)の先端部が挿入される有底筒状部(50)が形成されている。ここで、有底筒状部(50)は、防水ラバー(５)の背面に開口すると共に、防水ラバー(５)の表面から突出している。従って、防水ラバー(５)の表面側から有底筒状部(50)に対して、様々な方向へ操作力を加えることが出来る。そして、有底筒状部(50)に操作力が加えられることにより、レバースイッチ(４)のレバー部(42)が有底筒状部(50)と共に操作方向へ移動することになる。よって、レバースイッチ(４)のレバー操作が、防水ラバー(５)によって妨げられることがない。
【００３６】
又、図示していないが、防水ラバー(５)の背面には、各ドームスイッチ(281)と対向することとなる領域に突起部が形成されている。該突起部は、第２キャビネット(２)の組み立て状態において、ドームスイッチ(281)に当接する。そして、防水ラバー(５)の表面の内、背面側の各突起部と重なる領域に押圧力が加えられることにより、該突起部を介してこれに対応するドームスイッチ(281)に押圧力が伝わり、その結果、ドームスイッチ(281)が押圧されることになる。よって、操作キー(280)の押圧操作が、防水ラバー(５)によって妨げられることがない。
【００３７】
図８に示す様に、防水ラバー(５)の有底筒状部(50)には、レバースイッチ(４)の操作子となる第１キートップ(43)が取り付けられる。又、防水ラバー(５)の表面には、各ドームスイッチ(281)と重なる位置に、操作キー(280)の操作子となる第２キートップ(282)が貼着固定されている。
【００３８】
ここで、カバー部材(22)には、レバースイッチ(４)の第１キートップ(43)をカバー部材(22)の表面に露出させる第１の窓(221)と、各操作キー(280)の第２キートップ(282)をカバー部材(22)の表面に露出させる第２の窓(222)とが形成されている。従って、上記スライド式携帯電話機のユーザは、第１キートップ(43)に操作力を加えることにより、レバースイッチ(４)のレバー操作を実行することが出来、又、各第２キートップ(282)に操作力を加えることにより、該第２キートップ(282)に対応する操作キー(280)の押圧操作を実行することが出来る。
【００３９】
図９に示すように（図８も参照）、シャーシ(21)とカバー部材(22)との対向面には、防水ラバー(５)の外縁部(51)が間に介在することとなる接合面(211)(220)が形成されている領域の外側に、別の接合面(215)(223)がそれぞれ形成されている。そして、カバー部材(22)の別の接合面(223)に、ＳＵＳ製の第２ネジ部材(72)がシャーシ(21)を貫通して捻じ込まれることにより、カバー部材(22)がシャーシ(21)に締結されている。尚、本実施形態においては、図８に示す様に、カバー部材(22)の別の接合面(223)の２箇所に第２ネジ部材(72)を捻じ込むことにより、カバー部材(22)がシャーシ(21)に締結される。
【００４０】
具体的には、カバー部材(22)の別の接合面(223)には、第２ネジ部材(72)が捻じ込まれるネジ孔(224)が有底凹状に形成され、シャーシ(21)には、第２ネジ部材(72)が貫挿される貫通孔(216)が開設されている。そして、シャーシ(21)とカバー部材(22)との別の接合面(215)(223)間には、カバー部材(22)のネジ孔(224)を包囲して延びるリング状の防水テープ(83)が介在している。ここで、防水テープ(83)は、防水性を有する両面テープであり、シャーシ(21)とカバー部材(22)との別の接合面(215)(223)間をシールするシール部材として用いられている。
【００４１】
図９に示す様に（図８も参照）、シャーシ(21)の背面には、シャーシ(21)の貫通孔(216)を覆う背面パネル(25)が接合されている。そして、シャーシ(21)と背面パネル(25)との接合面(217)(251)には、シャーシ(21)の貫通孔(216)を包囲して延びる枠状の防水テープ(84)が介在している。ここで、防水テープ(84)は、防水性を有する両面テープであり、シャーシ(21)と背面パネル(25)との接合面(217)(251)間をシールするシール部材として用いられている。
【００４２】
尚、本実施形態においては、図８に示す様に、シャーシ(21)と背面パネル(25)との間に金属板(26)が介在し、該金属板(26)の外縁部には、第２ネジ部材(72)が貫挿される切欠き(260)が設けられている。そして、図９に示す様に、第２ネジ部材(72)は、金属板(26)の切欠き(260)及びシャーシ(21)の貫通孔(216)を通って、カバー部材(22)のネジ孔(224)に捻じ込まれており、これにより、金属板(26)もシャーシ(21)に締結されている。
【００４３】
上記スライド式携帯電話機においては、カバー部材(22)の第１及び第２の窓(221)(222)からカバー部材(22)の背面側へ水が浸入した場合でも、該水は防水ラバー(５)を通過することが出来ない。従って、浸入した水は、防水ラバー(５)の表面に滞留し、或いは防水ラバー(５)の表面に沿って移動することになる。ここで、防水ラバー(５)の外縁部(51)がシャーシ(21)とカバー部材(22)との接合面(211)(220)間に介在し、又、シール部(511)が環状溝(212)に隙間なく嵌合されている。従って、浸入した水が防水ラバー(５)の表面上を接合面(211)(220)の方へ向けて移動した場合でも、該水が防水ラバー(５)の背面へ回り込むことが、防水ラバー(５)の外縁部(51)とシール部(511)とによって防止されることになる。
【００４４】
又、シャーシ(21)とカバー部材(22)との接合面(211)(220)間を通じて機器本体(10)の外部から内部へ水が浸入することが、該接合面(211)(220)間に介在した防水ラバー(５)の外縁部(51)と、環状溝(212)に隙間なく嵌合されたシール部(511)とによって防止されることになる。
【００４５】
更に、上記スライド式携帯電話機においては、図９に示す様に、第２キャビネット(２)の内部に、カバー部材(22)の別の接合面(223)に形成されている有底筒状のネジ孔(224)と、シャーシ(21)に開設されている貫通孔(216)とによって、第２ネジ部材(72)が収容される第２収容室Ｒ２が形成されることになる。尚、本実施形態においては、該第２収容室Ｒ２は、シャーシ(21)と背面パネル(25)との間に形成された隙間Ｇを介して、シャーシ(21)の開口(210)に通じている。
【００４６】
ここで、シャーシ(21)とカバー部材(22)との別の接合面(215)(223)間にはリング状の防水テープ(83)が介在し、シャーシ(21)と背面パネル(25)との接合面(217)(251)間には枠状の防水テープ(84)が介在している。従って、シャーシ(21)とカバー部材(22)との別の接合面(215)(223)間を通じて第２収容室Ｒ２の内部へ水が浸入することが、リング状の防水テープ(83)によって防止され、又、シャーシ(21)と背面パネル(25)との接合面(217)(251)間を通じて第２収容室Ｒ２の内部へ水が浸入することが、枠状の防水テープ(84)によって防止されることになる。
【００４７】
上記スライド式携帯電話機によれば、第２収容室Ｒ２、隙間Ｇ、シャーシ(21)の開口(210)、及び第２基板(62)の表面上の領域が密閉されることになる。即ち、上記スライド式携帯電話機は、第２収容室Ｒ２、隙間Ｇ、レバースイッチ(４)を収容する開口(210)、及び第２基板(62)の表面上の領域への水の浸入を防止する防水構造を有することになる。
【００４８】
よって、上記スライド式携帯電話機が雨水等に晒された場合でも、シャーシ(21)と第２ネジ部材(72)との間には水が浸入することがない。このため、シャーシ(21)が、第２ネジ部材(72)を構成している金属（本実施形態ではＳＵＳ）とは異種の金属（本実施形態ではマグネシウム合金）から形成されているにも拘わらず、シャーシ(21)及び第２ネジ部材(72)には電解腐食が発生し難い。
【００４９】
尚、本発明の各部構成は上記実施の形態に限らず、特許請求の範囲に記載の技術的範囲内で種々の変形が可能である。例えば、上記スライド式携帯電話機に採用した各種構成は、折り畳み式携帯電話機、ストレートタイプの携帯電話機等、様々な携帯電話機に適用することが出来る。又、上記スライド式携帯電話機に採用した各種構成は、携帯電話機に限らず、ＰＤＡ（Personal  Digital  Assistant）、デジタルカメラ、ビデオカメラ等、種々の電子機器に適用することが出来る。
【００５０】
更に、上述したスライド式携帯電話機の構成は、本発明のほんの一例であり、本発明は、機器本体(10)を構成する複数の構成部材が様々な異種金属から形成されている種々の電子機器に適用することが出来る。
【符号の説明】
【００５１】
(10)  機器本体
(１)  第１キャビネット
(２)  第２キャビネット
(201) 表面
(202) 背面
(21)  シャーシ（構成部材）
(213) 接合面
(214) ネジ孔
(215) 接合面
(216) 貫通孔
(217) 接合面
(22)  カバー部材（構成部材）
(223) 接合面
(224) ネジ孔
(23)  意匠パネル（構成部材）
(230) 貫通孔
(231) 接合面
(232) 接合面
(24)  カバーパネル（パネル部材）
(241) 接合面
(25)  背面パネル（パネル部材）
(251) 接合面
(３)  スライド機構
(４)  レバースイッチ
(５)  防水ラバー
(50)  有底筒状部
(71)  第１ネジ部材
(72)  第２ネジ部材
(81)  防水テープ（第１シール部材）
(82)  防水テープ（第２シール部材）
(83)  防水テープ（第１シール部材）
(84)  防水テープ（第２シール部材）
Ｒ１  第１収容室
Ｒ２  第２収容室
【図１】
0005567877.tif 000002
【図２】
0005567877.tif 000003
【図３】
0005567877.tif 000004
【図４】
0005567877.tif 000005
【図５】
0005567877.tif 000006
【図６】
0005567877.tif 000007
【図７】
0005567877.tif 000008
【図８】
0005567877.tif 000009
【図９】
0005567877.tif 000010